Podtech/llm-jp-corpus-v4-ja_patent huggingface dataset:
(57)【要約】      （修正有）【課題】配管作業に於いて、配管支持材に、管をＵ字ボルトで固定するときに、その固定強度を増加させて配管構造の変形を防ぐことができるようにした配管支持の補強材を提供する。【解決手段】切り欠きを有する円弧形の板２の両端に補強用の平板３を設けて補強材１を形成する。使用時には、配管を配管支持材７にＵ字ボルト５にて固定するときに、配管６と配管支持材７の間に上記補強材１を挿入し、上記の円弧形の板２が配管６に接触するようにして配管を固定する。【選択図】図１
0003178808.tif 000002
【実用新案登録請求の範囲】
【請求項１】
切り欠きを有する円弧形の板の両端に補強用の平板を設けた形状の物であり、配管を配管支持材にＵ字ボルトにて固定するときに配管と配管支持材の間に挿入され、その円弧形の板が配管に接触するように構成された配管支持の補強材。
【考案の詳細な説明】
【技術分野】
【０００１】  本考案は配管作業において、Ｕ字ボルトを使用して管を固定するときの補強材である。
【技術背景】
【０００２】  従来からの工法として、山形鋼などの配管支持材にＵ字ボルトを使って管を固定しようとする場合、配管支持材に変形の恐れがある場合はＵ字ボルトを十分な強さで締め付ける事ができない。またこの工法における配管支持材と管との接触面積は少ない。以上の理由によりこの工法による配管支持部の管固定強度には限界がある。従って自重や外力による配管組立構造の変形や、またその事による配管破損、漏れ事故等を起こす難点がみられる。
【先行技術文献】
【特許文献】
【０００３】
【考案の概要】
【考案が解決しようとする課題】
【０００４】  本考案は、本考案を用いる事によりＵ字ボルトによる管の締め付け固定強度を増して、配管組立構造の変形を防ごうとするものである。
【課題を解決するための手段】
【０００５】  管を配管支持材にＵ字ボルトで固定しようとするときに、Ｕ字ボルト及び  管及び配管支持材との間に出来る間隙に  本考案を差し込み  ナットを締め付けると、締め付け力が本考案に作用して  管を挟み付ける力が生じる。
又、本考案を使用する事に依り配管支持材の変形が無くなる為従来よりも大きいトルクでナットを締め付けることが出来る。
以上のような効果で管の締め付け固定強度を増す事ができる。
【考案の効果】
【０００６】  本考案を使用して配管支持部の強度を増す事が出来れば、配管組立構造の変形に依る配管破損、漏れ事故を防ぐことができる。とくに近年多く使用されている配管指示用穴付きアングルの強度不足を補うための補助材として効果的である。
【考案を実施するための形態】
【０００７】  以下、本考案の補強材１を、図面に示す使用例に基ずいて具体的に説明する。
【０００８】  図１、２は使用例であり、管６を配管支持材７にＵ字ボルト５を使用して固定するときに図のように、本考案である補強材１を取り付け、Ｕ字ボルトを締める。
【図面の簡単な説明】
【０００９】
【図１】  本考案及び本考案の使用例を上部から見た斜視図である。
【図２】  本考案の使用例を下部から見た斜視図である。
【符号の説明】
【００１０】  １・・・・・・  本考案である補強材
２・・・・・・  本考案を構成する円弧形の板部分
３・・・・・・  本考案を構成する補強用の平板部分
４・・・・・・  本考案を構成する切り欠き部分
５・・・・・・  Ｕ字ボルト、ナット
６・・・・・・  管
７・・・・・・  配管支持材
８・・・・・・  従来の工法
【図１】
0003178808.tif 000003
【図２】
0003178808.tif 000004
(57)【要約】      （修正有）【課題】足ゆびを心地よく運動させ足ゆびの筋力を効率よく強化させる足ゆび運動二重段差付き草履を提供する。【解決手段】鼻緒のある草履に於いて、第一趾を除く、第二趾、第三趾、第四趾、第五趾のゆび先の接する面を足裏の接する面より２．０ｍｍから１０．０ｍｍの範囲で縁のある段差を付けて低くする。その段差の縁より足裏の位置する方向の２．０ｍｍから１５．０ｍｍの範囲の位置に高さ１．０ｍｍから６．０ｍｍの範囲の突起を巾５．０ｍｍから２０．０ｍｍの範囲に取り付ける。【選択図】図１
0003178811.tif 000002
【実用新案登録請求の範囲】
【請求項１】
鼻緒のある草履の足裏が接する面に於いて、第一趾を除く、第二趾、第三趾、第四趾、第五趾のゆび先の接する面が足裏が接する面より２．０ｍｍから１０．０ｍｍの範囲で縁のある段差で低くする。第二趾、第三趾、第四趾、第五趾のゆび先の接する段差の縁より足裏の位置する方向に２．０ｍｍから１５．０ｍｍの範囲の位置に１．０ｍｍから６．０ｍｍの範囲の突起を巾５．０ｍｍから２０．０ｍｍの範囲に取り付けた足ゆび運動二重段差付き草履である。
【考案の詳細な説明】
【考案の詳細な説明】
【産業上の利用分野】
この考案は、鼻緒の取り付いた草履を履いて歩く際、地面に付いた足は体を移動させるため蹴り出す、その蹴り出す際の足のゆびは、足ゆびの付け根が突起で持ち上げられる、次に段差の縁に位置するゆび先は縁を握りしめる。足ゆびの付け根とゆび先が突起と段差の縁を握り締めることを繰り返す動きで足ゆびの筋力を高める。
【背景技術】従来の草履は履物としての目的である。履いて快感を追及した履物や足裏運動の目的とした一般の履物は若干見受けられる。足ゆびの動きを強調した足ゆび運動用の草履は見ていない。
【考案が解決しようとする課題】
これまで７，０００人の足裏の足形で心身の因果関係を研究して１９年、足ゆびの接地力の大切さを知りました。私は６９才です、高校を卒業した頃の友達を思い出せば皆元気で頑張りやで運動にも勉強にも挑戦していた。現代の子供たちには大人のように疲れる、足腰が痛い、肩が痛いと言う。諦めも早く、運動力、集中力の足りなさを感じさせることも少なくない。２才児から９０才を越えた大人までの調査の記録では若い人ほど辛さを訴える傾向があった。足形の崩れの度合いと比例していた。足形の崩れを作る原因は足ゆびの筋力不足です。即ち体の均衡を保つのに絶対に必要な足形を形成するアーチです。アーチの崩れは足形の崩れです。足ゆびの筋力の無い足形は浮きゆびと言って足のゆびが地面に着いていいない。浮きゆびは偏平足、細長足、外反母趾、ハンマートゥの足形になり易い。足ゆび運動二重段差付き草履は、歩くたびゆびの腹を持ち上げ同時にゆび先が縁を握り締める動作は足ゆびの筋力強化の運動です。草履本来の鼻緒は長さと取付位置を考慮すれば、足の甲を反らす運動で足幅の筋力を強化できる。
【課題を解決する手段】
本考案は、足ゆびの筋力を鍛錬する草履です。足ゆび運動二重段差付き草履は履いて歩くたびゆび第二趾、第三趾、第四趾、第五趾の付け根は持ち上げられ、同時にゆび先が縁を握り締める、この動作がゆびの筋力強化の運動である。足ゆびの筋力強化は姿勢を踵重心からつま先重心に改善する。悪い姿勢が原因の疲れ易さ、膝腰の辛さを軽減させる。足ゆびの運動が血行を改善して足の冷えを楽にさせる。
【作用】
本考案の足ゆび運動二重段差付き草履は履いて歩くたび足ゆびの筋力を鍛錬する草履です。足ゆびの筋力低下は足の踵から第五趾側を支えるアーチと第一趾と第五趾間を支えるアーチの筋力低下を促し浮きゆびをつくる、浮きゆびは足形の崩れをつくる。第一趾を除く、第二趾、第三趾、第四趾、第五趾のゆびの運動は歩く瞬間動作が先ず凸部でゆびの付け根を持ち上げる、次にゆび先が段差の縁を握り締める、二重段差はゆびの動く動作はより強く握り締める運動をする。履いて歩く度ゆびの筋力を強化させる二重段差付き草履である。
【実施例】なお、実施にあたっては、次のことが考えられる。
（イ）  歩くたび足ゆびは段差の縁を握り締めようと低い面を押し付ける。
（ロ）  第一趾には低い段差がないことで歩くこと、走ることの動作が楽である。
（ハ）第二趾、第三趾、第四趾、第五趾に位置する二重段差はゆびがしっかりと地面側に力が移動するため姿勢が楽である。
【考案の効果】
足ゆびの筋力が強化され足ゆびが地面にしっかりと接地することで体の姿勢の重心がつま先側に移動する。足ゆび運動二重段差付き草履を履いた方々からの感想は、偏平足が改善された。崩れた足形が改善され足形を写して見ると５本のゆびはしっかりと写り、足幅が広く、踵が狭くなった足形に変わったとき膝の辛さ、腰の辛さ、肩の辛さ、足の冷えの辛さ、足のむくみ、体のダルさがなくなっていたことに気が付いたと言う方が多い。これらは７，０００人の足形を記録、そのなかから草履は足形をどのように変えたか、ストレスの変化はどうなったかを追跡調査で確認している。足ゆび運動二重段差付き草履は日常用の履物であり、足ゆびの筋肉トレーニング用の草履である。
【図面の簡単な説明】
【図１】本考案の斜視図である。鼻緒付き草履に於いて足裏の接地面（１）より第一趾の接地面を除く、第二趾、第三趾、第四趾、第五趾のゆび先の接地面（２）を２．０ｍｍから１０．０ｍｍの範囲で縁のある段差を付けて低くする。第二趾、第三趾、第四趾、第五趾のゆびの付け根の位置に突起（３）を１．０ｍｍから６．０ｍｍの範囲で取り付ける。
【図２】足ゆび運動二重段差付き草履を履いたときのゆびと足裏の接地する足形の位置の上面図である。
【図３】足ゆび運動二重段差付き草履の上面図である。
【図４】図３の上面図ａ−ｂ部分の断面による説明図である。
【図５】足ゆび運動二重段差付き草履の側面図である。
【符号の説明】１，第一趾と足の裏が接地する面。
２，第二趾、第三趾、第四趾、第五趾のゆび先の接地する面。
３，第二趾、第三趾、第四趾、第五趾のゆびの付け根位置付近を持ち上げる突起面。
４，足裏が接する面より２．０ｍｍから１０．０ｍｍの範囲で縁のある段差を付けて低くする。
５．突起は段差の縁より足裏の位置する方向へ２．０ｍｍから１５．０ｍｍの範囲とする。
６，突起の高さを１．０ｍｍから６．０ｍｍの範囲とする。
７，突起の巾は５．０ｍｍから２０．０ｍｍの範囲とする。
【図１】
0003178811.tif 000003
【図２】
0003178811.tif 000004
【図３】
0003178811.tif 000005
【図４】
0003178811.tif 000006
【図５】
0003178811.tif 000007
(57)【要約】      （修正有）【課題】本体を立てた状態で湯水をほぼ全て注湯口から排出することができる湯たんぽを提供する。【解決手段】本体を立てた状態で下端部に隣接する正面側にキャップで閉じられる注湯口３を備えた湯たんぽであって、本体を立てた状態で、注湯口に近接する本体の内部空間５の最下端と注湯口の最下端が一致するように、本体を正面側から見て、本体の下端部側の周縁部は、最下端部６に向かって湾曲していると共に本体を側面側から見て、本体の下端部側は、最下端部に向かって湾曲している。【選択図】図３
0003178814.tif 000002
【実用新案登録請求の範囲】
【請求項１】
本体を立てた状態で下端部に隣接する正面側にキャップで閉じられる注湯口を備えた湯たんぽであって、
本体を立てた状態で、注湯口に近接する本体の内部空間の最下端と注湯口の最下端が一致するように、本体を正面側から見て、本体の下端部側の周縁部は、最下端部に向かって湾曲していると共に本体を側面側から見て、本体の下端部側は、最下端部に向かって湾曲していることを特徴とする湯たんぽ。
【考案の詳細な説明】
【技術分野】
【０００１】
本考案は、湯水の排出を容易に行える湯たんぽに関するものである。
【背景技術】
【０００２】
特許文献１に示される湯たんぽでは、注湯口が底面近くに設けられていることから、キャップを外して立てておくだけで、湯水を排出することが可能な構造となっている。
【先行技術文献】
【特許文献】
【０００３】
【特許文献１】実公平４−２０４２０号公報
【考案の概要】
【考案が解決しようとする課題】
【０００４】
しかしながら、上記の湯たんぽでは、立てた状態で注湯口の内側最下端部が内部空間の最下端底部より若干高い位置となっているため、立てた状態で、湯水を排出させても一部が内部空間の底部近くに残ってしまう。という問題点を有していた。本考案は、このような問題点を解消するためになされたものである。
【課題を解決するための手段】
【０００５】
本考案は、本体を立てた状態で下端部に隣接する正面側にキャップで閉じられる注湯口を備えた湯たんぽであって、本体を立てた状態で、注湯口に近接する本体の内部空間が注湯口に向かって漏斗状に形成されていることを特徴とする。
【考案の効果】
【０００６】
本考案によれば、立てた状態で、ほぼすべての湯水を注湯口から排出するこができる。
【図面の簡単な説明】
【０００７】
【図１】本考案に係る湯たんぽの一実施例を示す正面図である。
【図２】図１に係る一実施例の湯たんぽの側面図である。
【図３】図１に係る一実施例の湯たんぽの断面図である。
【図４】本考案に係る湯たんぽに用いるキャップの他の例を示す図である。
【考案を実施するための形態】
【０００８】
以下、本考案の実施の形態について、図１〜図３に基づいて説明する。
本体１は、縦長に形成され、正面と裏面側に表面積を増やすと共に構造強化のために波状の湾曲部が設けられ、合成樹脂の型成形などにより形成されている。
本体１の一方の側が、立てた状態で底部となり、他方の側（上端部側）に提げ手２を設けた構造となっている。本体１の正面側の一方の端部（下端部）側に平坦部を設けられている。
本体１は、本体１の一方の端部（底部となる下端部）に隣接した上面（平面）に湯水の注入及び排水のための円筒形の注湯口３を備える。注湯口３は、本体１を立てた状態で、周縁部の最下端部６と注湯口３の最下端部が一致するように、平坦部から正面側に突出するように設けられている。すなわち、注湯口３に近接する本体１の内部空間の最下端と注湯口３の最下端が一致するように、本体１を正面側から見て、本体１の下端部側の周縁部は、最下端部に向かって湾曲していると共に本体１を側面側から見て、本体１の下端部側は、最下端部に向かって湾曲している。また、注湯口３は、キャップ４をねじ込むことにより閉塞する。
すなわち、本体の一方の端部側の内部空間は、注湯口３に向かって、徐々に減少するようになっている。
本体１をほぼ垂直に立てた状態で、キャップ４を外して湯水を排出する際、本体１の内部空間内に湯水が滞留しないような構造となっている。すなわち、本体１をほぼ垂直に立てた状態で、注湯口３に近接する本体１の内部空間５が漏斗状になっているため、湯水が滞留せず、ほぼ全て注湯口３から排出されることになる。
【符号の説明】
【０００９】
１    本体
２    提げ手
３    注湯口
４    キャップ
５    内部空間
６    最下端部
【図１】
0003178814.tif 000003
【図２】
0003178814.tif 000004
【図３】
0003178814.tif 000005
【図４】
0003178814.tif 000006
(57)【要約】      （修正有）【課題】液体状調味料を決められた範囲に、定められた量を確実に塗ることができる液体状調味料容器を提供する。【解決手段】液体状調味料容器を傾け、加圧することにより、容器１内の液体状調味料が、先端部を閉じた吐出チューブ２ａに注がれる。吐出チューブ２ａに設けられた数か所の吐出口２ｂから液体状調味料が吐出すれば、液体状調味料容器を動かすことにより決められた範囲に使用量を調整しながら塗ることを特徴とする液体状調味料容器を提供することにより上記課題を解決するものである。【選択図】図１
0003178207.tif 000002
【実用新案登録請求の範囲】
【請求項１】
先端部を閉じ、長手方向に数か所の吐出口を設けた吐出チューブ付きキャップ、容器、及びカバーで構成した液体状調味料容器。
【考案の詳細な説明】
【技術分野】
【０００１】
本考案は、液体状調味料の容器に関するものである。
【背景技術】
【０００２】
液体状調味料をかける、塗る場合は、噴霧式、刷毛式のキャップ構造の調味料容器を使用しているものもある。
【先行技術文献】
【特許文献】
【０００３】
【特許文献１】実用新案登録第３０７５０５８号公報
【特許文献２】公開実用新案公報  平２−１１１３６５
【考案の概要】
【考案が解決しようとする課題】
【０００４】
以上に述べた、従来の液体状調味料容器では、決められた範囲外まで噴霧するという、また刷毛に多くの調味料が残り、液だれも多く使用量が増えるという問題点がある。
【０００５】
本考案は、従来の構成が有していた問題を解決するものであり、液体状調味料を決められた範囲に、限られた量を塗ることを実現することを目的とするものである。
【課題を解決するための手段】
【０００６】
本考案は、上記目的を達成するために液体状調味料が入った容器を傾け、加圧することで、液体状調味料を吐出チューブに入れ込み数か所の吐出口から同時に吐出させて、決められた範囲を塗ること、吐出量を調整することができる。
【０００７】
吐出チューブの保護、衛生管理面からカバーを設けている。
【考案の効果】
【０００８】
本考案の液体状調味料容器は、決められた範囲を塗れる、使用量を調整できるという効果を発揮するものである。
【０００９】
液体状調味料を本考案の液体状調味料容器に入れて料理を作った人たちから次のような効果、感想を得ている。
１．  パンにオリーブオイルを直接塗ることで、お皿をオイルで汚すことがなくなった。
２．  野菜にかけて焼くことで素焼き風に仕上がる。
３．  練り製品にかけて焼くことで照り焼き風に仕上がる。
４．  イタリアンサラダを作る時に少ないかき混ぜで十分である。
５．  食パンにオリーブオイルを塗り、トーストするといい香りといい焼き上がりに仕上がる。
【図面の簡単な説明】
【００１０】
【図１】本発明による液体状調味料容器の斜視図である。
【考案を実施するための形態】
【００１１】
以下、本考案の実施形態を図１に基づいて説明する。
【００１２】
図１において、液体状調味料容器は、容器１、吐出チューブ付きキャップ２で構成している。調味料は容器１を傾け、加圧することで吐出チューブ２ａへ注がれ、吐出口２ｂから吐出される。吐出口を数か所設けているため液体状調味料を決められた範囲に塗り、使用量の調整するという効果を発揮する。また、カバー３を取付けることで衛生的に管理できる。以上のように、本実施形態によれば決められた範囲に使用量を調整しながら塗る効果が得られるものである。
【符号の説明】
【００１３】
１  容器
２  吐出チューブ付きキャップ
２ａ  吐出チューブ
２ｂ  吐出口
３  カバー
【図１】
0003178207.tif 000003
(57)【要約】      （修正有）【課題】船釣りに行く際に、餌箱自体の持ち運びや収納を容易にするとともに、機能性を拡張した釣り用餌箱を提供する。【解決手段】枠体と上板と底板１とからなる組立式釣り用餌箱において、前記枠体は４枚の側板を樹脂ヒンジ８により折りたたみ可能な状態で四角環状に連結形成され、前記側板のうち一側板には、前記枠体の蓋部となる透明な上板をステンレスヒンジ７により開閉可能に取り付け、前記一側板の両側に連結された二つの側板には、前記枠体を底板１に取り外し可能に固定するための固定具を備えたことを特徴とする。さらに、前記枠体は前記底板１の長手方向の一方側に偏在するように固定されることを特徴とする。【選択図】図１
0003178266.tif 000002
【実用新案登録請求の範囲】
【請求項１】
枠体と上板と底板とからなる組立式釣り用餌箱において、前記枠体は４枚の側板をヒンジにより折りたたみ可能な状態で四角環状に連結形成され、前記側板のうち一側板には、前記枠体の蓋部となる透明な上板をヒンジにより開閉可能に取り付け、前記一側板の両側に連結された二つの側板には、前記枠体を底板に取り外し可能に固定するための固定具を備えたことを特徴とする組立式釣り用餌箱。
【請求項２】
前記枠体は前記底板の長手方向の一方側に偏在するように固定されることを特徴とする請求項１に記載の組立式釣り用餌箱。
【考案の詳細な説明】
【技術分野】
【０００１】
本考案は、船釣りの際に、餌等を入れておくための釣り用餌箱に関する。
【背景技術】
【０００２】
船釣りの際に持参する餌箱に関して、従来の一般的な釣り用餌箱は、木製の直方体形状で構成されており、餌箱自体を折りたたむことができなかったため、持ち運び時にかさばり不便であった。
【先行技術文献】
【特許文献】
【０００３】
【特許文献１】実用新案登録第３０５２４１５号
【考案の概要】
【考案が解決しようとする課題】
【０００４】
本考案は、船釣りに行く際に、餌箱自体の持ち運びや収納を容易にするとともに、機能性を拡張した釣り用餌箱を提供することを課題とする。
【課題を解決するための手段】
【０００５】
上記課題を解決するために、本考案は、枠体と上板と底板とからなる組立式釣り用餌箱において、前記枠体は４枚の側板をヒンジにより折りたたみ可能な状態で四角環状に連結形成され、前記側板のうち一側板には、前記枠体の蓋部となる透明な上板をヒンジにより開閉可能に取り付け、前記一側板の両側に連結された二つの側板には、前記枠体を底板に取り外し可能に固定するための固定具を備えたことを特徴とする。
さらに、本考案は前記枠体は前記底板の長手方向の一方側に偏在するように固定されることを特徴とする。
【考案の効果】
【０００６】
本考案の釣り用餌箱は、蓋部が付いた枠体と底板の二分割構成であり、枠体は折りたたみ可能であるため、容積が減少し持ち運びが容易となる。
また、蓋部の上板は透明なので、餌箱に餌を入れて使用した際、蓋を閉めたままで内部の餌の量や状態をすぐに把握でき、餌の鮮度を確保できる。
【図面の簡単な説明】
【０００７】
【図１】本考案の組立式釣り用餌箱の組立時の外観を示す斜視図である。
【図２】本考案の組立式釣り用餌箱の蓋部開状態を示す上面図である。
【図３】本考案の組立式釣り用餌箱の蓋部閉状態を示す正面図である。
【図４】本考案の組立式釣り用餌箱の蓋部閉状態を示す側面図である。
【図５】本考案の組立式釣り用餌箱の底板の上面図である。
【図６】本考案の組立式釣り用餌箱の枠体の折りたたみ状態を示す上面図である。
【考案を実施するための形態】
【０００８】
本考案の組立式釣り用餌箱を図面に従い説明する。
図１は本考案の組立式釣り用餌箱の組立時の外観を示す斜視図、図２は同餌箱の蓋部開状態を示す上面図、図３は同餌箱の蓋部閉状態を示す正面図、図４は同餌箱の蓋部閉状態を示す側面図、図５は同餌箱の底板の上面図、図６は同餌箱の枠体の折りたたみ状態を示す上面図である。
図２において、樹脂ヒンジ８により側板Ａ部２と側板Ｃ部４が、別の樹脂ヒンジ８により側板Ｃ部４と側板B部３が、また別の樹脂ヒンジ８により側板B部３と側板D部５が、さらに別の樹脂ヒンジ８により側板D部５と側板A部２が連結され、四角環状の枠体を形成している。上記各連結手段として樹脂ヒンジ８を使用することにより、当該枠体は図６に示すように折りたたみ可能である。
また、図１に示すように、当該枠体の上面を覆う蓋部として機能するポリカーボネート製の透明な上板６が、側板B部３にステンレスヒンジ７により開閉可能に取り付けられている。
また、図２乃至図４に示すように、側板Ｃ部４及び側板D部５の外側面には、図５に示す底板１に当該枠体を固定するためのホルダー１０が取り付けられており、底板１に取り付けられた二箇所のホルダー受９と係合して枠体を底板１に取り外し可能に固定している。
なお、前記ホルダー受け９は底板１の長手方向一方側に偏在して取り付けてあるため、枠体自体を１８０°回転して取り付けることもでき、蓋部となる上板６の開閉方向を変えることができる。これにより、枠体を底板１の左右どちら側にも固定できるので、釣座が替わっても底板１の船縁への固定場所を選ぶ必要がなくなる。
従って、船釣りに行くために本考案の釣り用餌箱を携帯する際には、図５及び図６に示す状態の底板１と折りたたんだ状態の枠体の２部品を携帯すればよいので、組み立て後のかさばる状態で持ち運ぶ必要がなくなり、極めて利便性の良い運搬が可能となる。
さらに、図１に示すように、側板Ｃ部４の外側面には錘ホルダ１１を、側板Ａ部２の外側面にはフック１２を取り付けることにより、釣り用の錘や袋類を保持することができ、より多機能な餌箱を提供することができる。
【符号の説明】
【０００９】
１  底板
２  側板Ａ部
３  側板Ｂ部
４  側板Ｃ部
５  側板Ｄ部
６  上板
７  ステンレスヒンジ
８  樹脂ヒンジ
９  ホルダー受け
１０  ホルダー
１１  錘ホルダー
１２  フック
【図１】
0003178266.tif 000003
【図２】
0003178266.tif 000004
【図３】
0003178266.tif 000005
【図４】
0003178266.tif 000006
【図５】
0003178266.tif 000007
【図６】
0003178266.tif 000008
(57)【要約】      （修正有）【課題】意匠性の高い引き戸用引手を提供する。【解決手段】引き戸に固定される本体部１０と、引き戸の表面に露出して装飾を実現する表面部２０との２体構造で、本体部１０には対をなす他方の引手と相対向する領域に係合部１２が形成されていて本体部１０と表面部２０とが溶着により一体化されている。【選択図】図１
0003178238.tif 000002
【実用新案登録請求の範囲】
【請求項１】
引き戸に固定される本体部と、引き戸の表面に露出して装飾を実現する表面部との２体構造で、前記本体部には対をなす他方の引手と相対向する領域に係合部が形成されていて前記本体部と表面部とが溶着により一体化されている引戸用引手。
【考案の詳細な説明】
【技術分野】
【０００１】
本考案は、引手を簡易かつ強固に引き戸に取付けでき、しかも容易に取り外すことができる引手の意匠性の改善技術に関する。
【背景技術】
【０００２】
引戸の引手は、交換が可能でかつ通常使用状態では緩まないように例えば特許文献１に見られるように引手の裏面には相対向しかつ離脱可能に契合する係合部が設けられている。
【０００３】
ところで引手には高い装飾性が求められるため、通常、強度と装飾性を保持しやすい材料である金属が使用されている。
しかしながら、加工に工数を要しコストが上昇するという不都合がある。
【０００４】
このため、複雑な形状の物品を容易、安価に製造できる高分子材料の射出整形技術を適用するとともに金属メッキにより装飾性、意匠性を維持することも行われているが、メッキ工程を必要とし、コストアップを招く。
【０００５】
一方、メッキの工程を不要にするべくメタリック樹脂（アルミニウム粒子、パール粒子及び着色剤を所定の割合で混練したペレット）を用いて射出成形を行うことも行われている。しかしながら、前述したように全体の厚みが薄くしかも係合部のために特定方向への厚みの変化が極めて大きくヒケや歪みが生じ意匠性が低下し、また修正作業を要するという問題もある。
【先行技術文献】
【特許文献】
【０００６】
【特許文献１】特開平１１−２６６９５０号公報
【考案の概要】
【考案が解決しようとする課題】
【０００７】
本考案はこのような事情に鑑みてなされたものであって、その目的とするところは意匠性や装飾性の高い引き戸用引手を提供することである。
【課題を解決するための手段】
【０００８】
このような課題を達成するために本考案は、引き戸に固定される本体部と、引き戸の表面に露出して装飾を実現する表面部との２体構造で、前記本体部には対をなす他方の引手と相対向する領域に係合部が形成されていて前記本体部と表面部とが溶着により一体化されている。
【０００９】
本考案によれば、表面部には係合部が存在しないので可及的に均一な厚みで制作することが可能となり、メタリック樹脂であっても射出成形で意匠性の高いものを容易に制作することができる。
【図面の簡単な説明】
【００１０】
【図１】図（ａ）（ｂ）は、それぞれ本考案の引手の一実施例を示す斜視図と断面図である。
【図２】図（ａ）（ｂ）は、それぞれ引手を構成する部材の一例を示す斜視図である。
【考案を実施するための形態】
【００１１】
そこで以下に本考案の引戸用引手の詳細を図示した実施例に基づいて説明する。
図１（ａ）（ｂ）は、本考案の引手の一実施例を示すものであり、また図２（ａ）（ｂ）はこれを構成する部材を示すもので、基本的には引き戸に取り付く本体部１０と、引き戸の表面に露出して意匠を構成する表面部２０との２体を溶着して一体化されている。
【００１２】
本体部１０は、高分子材料の射出成形により図２（ａ）に示すように引戸に取り付けた状態で裏面となる側には引っかけ凹部１１と対となる他方の引手の係合部と係脱可能な係合部１２が形成されている。
【００１３】
表面部２０は、本体部１０の表面に可及的に重なるように均一な厚みにメタリック樹脂等の装飾性の高い樹脂の射出成形により鍔部２１と引っかけ凹部２２が構成されている。
【００１４】
もとより係合部１２は、表面部２０とは別体である本体部１１に設けられていて表面部２０には、係合部１２等の突起部を有しないから可及的に均一な厚みでひずみの少ない部材として容易に整形することができる。このため、研磨などの特別な仕上げ加工を施すことなく美麗な表面状態で整形が可能となる。
【００１５】
これら本体部１０と表面部２０とは適切、つまり完成時に引手となるように重ねあわせた状態で溶着技術により一体に合着されて引手３０として完成する。
【００１６】
このように本考案によればコストが比較的低い射出成形品でも研磨作業を必要とする事無く装飾性を保つことが可能となる。
【００１７】
なお、上述の実施例においては一方の面側の引手について説明したが、対を成す他方の引手は、表面部はまったく同一の構造でよく、本体部については係合部以外は同様の構造であり、また係合部は、適宜係脱できる機構、たとえば特願2012-86919に見られるような構造、つまり係合部の歯部がそれぞれ外向きで、係合部間の距離が一方のものと係合できるような構造を採用すればよい。
【符号の説明】
【００１８】
１０  本体部    １１  引っかけ凹部    １２  係合部    ２０  表面部    ２１  鍔部
２２  引っかけ凹部    ３０  引手
【図１】
0003178238.tif 000003
【図２】
0003178238.tif 000004
(57)【要約】【課題】マイクロヒューズからはずれにくいマイクロヒューズのカバー位置決め構造を提供する。【解決手段】本体とカバーとからなる。本体の底部には二本のリード線が設けられ、二本のリード線は上に向かって延伸し、本体頂部にはヒューズが接続される。マイクロヒューズの本体両側には係合凸ブロックが設けられ、カバーの両側には係合孔が設けられ、カバーを本体に被せた時、本体の係合凸ブロックとカバーの係合孔は係合され、それにより、カバーと本体は、最も堅固な接合形態で接合される。【選択図】図３
0003178239.tif 000002
【実用新案登録請求の範囲】
【請求項１】
本体とカバーとからなるマイクロヒューズのカバー位置決め構造であって、
本体の底部には二本のリード線が設けられ、二本のリード線は上に向かって延伸し、本体頂部にはヒューズが接続され、
マイクロヒューズの本体両側には係合凸ブロックが設けられ、カバーの両側には係合孔が設けられ、カバーを本体に被せた時、本体の係合凸ブロックとカバーの係合孔は係合され、それにより、カバーと本体は、最も堅固な接合形態で接合されることを特徴とする、マイクロヒューズのカバー位置決め構造。
【請求項２】
本体両側の係合凸ブロックの頂部は、下に向かって斜面を形成することを特徴とする、請求項１に記載のマイクロヒューズのカバー位置決め構造。
【考案の詳細な説明】
【技術分野】
【０００１】
本考案は電子業界で使用されるマイクロヒューズの構造に関し、特にマイクロヒューズからはずれにくいマイクロヒューズのカバー位置決め構造に関する。
【背景技術】
【０００２】
本考案でマイクロヒューズと呼んでいるのは、電子関連産業で使用されているヒューズのことである。この種のヒューズには、円形や四角形等の各種の形態がある。図１と図２を参照する。図１と図２は、従来の円形のマイクロヒューズである。このマイクロヒューズは、主に、本体１０とカバー２０とからなる。本体１０の底部には、二本のリード線４０が設けられ、二本のリード線４０は上に延伸してピン４１を形成し、本体１０頂部にはヒューズ３０が接続される。また、本体１０の環状側には、凸縁１０１が設けられ、カバー２０と本体１０を結合した後のマイクロヒューズの本体１０の頂部内には、ケイ砂を封入することで、ヒューズ３０が熱で断裂した時に生じる大きな振動を防ぐことができる。また、カバー２０を本体１０に被せた時、本体１０環状側の凸縁１０１により、カバー２０とぴったり接合することができる。この種の接合方式は、堅固に見えるが、実際はそうではない。本体１０とカバー２０がこの種の接合方法で接合されたマイクロヒューズは、運送中や保存している時に、振動や思わぬ外部からの衝撃によって、カバー２０がゆるみ外れてしまいやすく、ケイ砂が落ちてしまい、例え、カバー２０を再び本体１０に被せても、使用することができなくなる。
【考案の概要】
【考案が解決しようとする課題】
【０００３】
そこで、本考案は、従来のマイクロヒューズのカバーと本体の接合構造には欠点があり、それによりカバーが取れやすく破損しやすいという問題を解決するために、マイクロヒューズからはずれにくいマイクロヒューズのカバー位置決め構造を提供することを目的とする。
【課題を解決するための手段】
【０００４】
上述の目的を達成するために、本考案によるマイクロヒューズのカバー位置決め構造は、四角形に設計されているとともに、本体とカバーとからなる。本体の底部には二本のリード線が設けられ、二本のリード線は上に向かって延伸し、本体頂部にはヒューズが接続される。本考案で改良された点は、マイクロヒューズの本体両側には係合凸ブロックが設けられ、カバーの両側には係合孔が設けられ、カバーを本体に被せた時、本体の係合凸ブロックとカバーの係合孔は係合され、それにより、カバーと本体は、最も堅固な接合形態で接合される、という点である。それにより、組み立てられた後のマイクロヒューズが運送中や保存している時に思いもしない外部の衝撃を受けて、カバーがとれてしまうのを防ぐことができる。
【図面の簡単な説明】
【０００５】
【図１】従来のマイクロヒューズの構造を示した概略図である。
【図２】従来のマイクロヒューズの断面図である。
【図３】本考案のマイクロヒューズの構造を示した分解図である。
【図４】本考案のマイクロヒューズを組み立てた後の外観を示した分解図である。
【図５】本考案のマイクロヒューズの断面図である。
【考案を実施するための形態】
【０００６】
図３から図５を参照する。図３から図５は、本考案のマイクロヒューズのカバー位置決め構造を示している。本考案のマイクロヒューズの外観は、四角形の形態であり、本考案は、主に、本体１０とカバー２０とからなる。本体１０の底部には、二本のリード線４０が設けられ、二本のリード線４０は上に延伸してピン４１を形成し、本体１０の頂部にはヒューズ３０が設けられる。本体１０の両側には、頂部から下方向へ斜面を形成する係合凸ブロック１１が設けられ、カバー２０における底端に近い位置の両側には、係合孔２１が設けられる。以上の構造の本考案を組み立てる時は、カバー２０に適量のケイ砂を注入した後、本体１０に嵌め込んで、本体１０の係合凸ブロック１１とカバー２０の係合孔２１を係合させる。それにより、カバー２０と本体１０は、最も堅固な接合形態で接合され、組み立てられた後のマイクロヒューズが運送中や保存している時に思いもしない外部の衝撃を受けて、カバーがとれてしまうのを防ぐことができる。
【符号の説明】
【０００７】
１０    本体    
１１    係合凸ブロック    
２０    カバー    
２１    係合孔    
３０    ヒューズ
４０    リード線    
４１    ピン            
１０１  凸縁
【図１】
0003178239.tif 000003
【図２】
0003178239.tif 000004
【図３】
0003178239.tif 000005
【図４】
0003178239.tif 000006
【図５】
0003178239.tif 000007
(57)【要約】      （修正有）【課題】帽子をかぶっても髪型が崩れにくい帽子を提供する。【解決手段】帽子の内側部分に新たにテープ状の素材を取り付けることにより、さらにテープの長さは内側部分のもっとも高い部分を中心に短く設定する。このことで帽子の内側に空間を作り上部から押さえつける部分を少なくし、よりよい効果が得られる。【選択図】図１
0003178297.tif 000002
【実用新案登録請求の範囲】
【請求項１】
帽子の庇と頭部分を有する物に、帽子の内側部分にテープ等を取り付けることにより髪型が崩れにくい構造とした帽子
【請求項２】
帽子の内側部分にテープ等を取り付ける方法は、テープのほかテープに変わりこの機能が発揮できる素材を取り付け使用した帽子
【考案の詳細な説明】
【技術分野】
【０００１】  本考案は帽子をかぶっても髪型が崩れにくい。
【背景技術】
【０００２】  従来は帽子をかぶると髪が押さえられてかぶった後髪型崩れている。
よって帽子をかぶると髪型が崩れることにより帽子をかぶりたくないことにより販売が妨げられた。
【考案が解決しようとする課題】
【０００３】  帽子をかぶると髪型が崩れやすく、ファッションや日よけの手段としての方法を帽子に求めないことが多い。
【課題を解決する為の手段】
【０００４】  庇や頭部分を有する帽子の内側部分にテープ状の素材を取り付ける事により帽子の内部に空間を作り、髪を抑える部分を少なくした帽子。
またこのテープ状の部分は取り外す構造にも作成でき、テープを外して使用できる。
【考案の効果】
【０００５】  この製品により帽子をかぶる行為がさらに広がる。
【考案を実施する為の最良の形態】
【０００６】  庇や頭部分を有する帽子に取り付けた形態
【産業上の利用可能性】
【０００７】  庇や頭部分を有する帽子はすべて取り付け出来る。
【図面の簡単な説明】
【０００８】
【図１】庇と頭部分を有した帽子の横図面である。
【図２】帽子の内側にテープ状の素材を取り付けた図面である。
【図３】庇と頭部分を有した帽子の横図面である。
【図４】帽子の内側にテープ状の素材を取り付けた図面である。
【図１】
0003178297.tif 000003
【図２】
0003178297.tif 000004
【図３】
0003178297.tif 000005
【図４】
0003178297.tif 000006
【手続補正書】
【提出日】平成24年3月9日(2012.3.9)
【手続補正１】
【補正対象書類名】明細書
【補正対象項目名】全文
【補正方法】変更
【補正の内容】
【考案の詳細な説明】
【技術分野】
【０００１】本考案は帽子をかぶっても髪型がくずれにくい。
【背景技術】
【０００２】従来は帽子をかぶると髪が押さえられてかぶった後髪型が崩れている。よって帽子をかぶると髪型が崩れる事により帽子をかぶりたくないことにより販売が妨げられた。
【考案の概要】
【０００３】帽子をかぶると髪型が崩れやすく、ファッションや日よけの手段としての方法を帽子に求めない事が多い。
【課題を解決するための手段】
【０００４】庇２頭部分３を有する帽子１の内側部分にテープ状の素材４を取り付ける事により帽子の内部に空間を作り、髪を抑える部分を少なくした帽子。またこのテープ状の部分は取り外す構造にも作成でき、テープを外して使用できる。
【考案の効果】
【０００５】この製品により帽子をかぶる行為がさらに広がる。
【符号の説明】
【０００６】１帽子
２庇
３頭部分
４テープ状素材
【図面の簡単な説明】
【０００７】
【図１】及び
【図３】庇と頭部分を有した帽子の横図面である。
【図２】及び
【図４】帽子の内部にテープ状の素材を取り付けた図面である。
【産業上の利用の可能性】
【０００８】庇や頭部分を有する帽子はすべて取り付け出来る。
【手続補正２】
【補正対象書類名】実用新案登録請求の範囲
【補正対象項目名】全文
【補正方法】変更
【補正の内容】
【実用新案登録請求の範囲】
【請求項１】
庇と頭部分を有する帽子の内側部分に「テープ状の素材」を縫い込む方法により取り付ける。
【手続補正３】
【補正対象書類名】図面
【補正対象項目名】全図
【補正方法】変更
【補正の内容】
【図１】
0003178297.tif 000007
【図２】
0003178297.tif 000008
【図３】
0003178297.tif 000009
【図４】
0003178297.tif 000010
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
庇と頭部分を有する帽子の内側部分にテープ状素材を取り付けた帽子。
(57)【要約】      （修正有）【課題】腕またはカバンに付けられ多用途に使用できるハンカチを提供する。【解決手段】ハンカチを筒状に縫製し、一箇所に親指の通る穴を開ける。【選択図】図２
0003178298.tif 000002
【実用新案登録請求の範囲】
【請求項１】
ハンカチを筒状にして腕にはめられるようにし、一箇所に親指を出せるよう穴を開け、その中央部に帯状の布を一部縫製する。
帯状の布を筒を通して輪になるようにし、止め具で止める。
【考案の詳細な説明】
【技術分野】
【０００１】本考案は、腕に付けられるように縫製したハンカチである。
【背景技術】
【０００２】ハンカチは収納場所を必要とする為、カバンやポケットに入れていた。
また、リストバンドでは手を拭くことが出来なかった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】往来のハンカチはカバンに入れてしまうと取り出しにくく、使用後は濡れたハンカチをカバンに入れる事になる。また、持ち歩く際カバンやポケットなどが必要になり、子供などは無くしてしまう事が多かった。更に手や汗を拭く以外あまり用途がないという問題点があった。
【課題を解決するための手段】
【０００６】長方形のハンカチのＢ辺、Ｅ辺を縫製し、Ｂ・Ｅ面の縫製部分の表、または裏の中心部に帯状の生地本体２を縫製し、筒状にする事で腕にはめられる様にする。
また、本体２を上下からホックａ（３）で止める事により装着作業を簡単にしたのが特徴である。【０００７】ホックａ（３）をはずし、筒の状態にする事によりペットボトルにかぶせる事もでき、（Ｇ）を開けることにより親指を出す事ができる為、手袋やアームカバーの用途を兼ね備える。【０００８】本体１に本体２を付ける事によりカバンへの装着を可能にし、またホルダーや飾りなどを通し、カバンに装着する事もできる。
【考案の効果】
【０００９】ハンカチを腕やカバンに装着する事が出来る為、無くしたり取り出しにくいという事がない。装着作業も簡単であり速乾性もあるため、スポーツ時などに手首からはずさなくても手や汗を拭く事ができる。
また、ペットボトルにかぶせる事ができるので、水滴で他の物が濡れるという事を防ぐ事ができるうえ、親指を出して手袋のように使う事により買物袋を持つ時に手が痛くならない利点もある。筒状にする事により往来のハンカチとしても使用可能である。
【図面の簡単な説明】
【００１０】
【図１】本考案ハンカチの正面図である。指穴（Ｇ）の開いた長方形のハンカチのＢ辺、Ｅ辺を縫製し筒状にし、Ｂ・Ｅ辺の縫製中心部に帯状の生地本体２の中心部を縫製し、上下から通しホックａ（３）を付ける。
【図２】ホックａ（３）をはずした平面図である。
【図３】図２を作成する為の説明図である。
【図４】手にはめた正面図である。
【図５】ペットボトルにかぶせた正面図である。
【考案を実施するための形態】
【００１１】本考案のハンカチを実施するための形態を図を用いて説明する。
【００１２】図２で示されるように本体１に本体２を縫製する。
図３は本考案の説明図であり長方形の生地のＢ辺・Ｅ辺を縫製し筒状にする事により腕にはめられるような形態にする。
Ｂ・Ｅ辺縫製部に指穴（Ｇ）を開け、Ｂ・Ｅ辺中心部に帯状の生地本体２の中心部一ヶ所を縫製し、上下から通しホックａ（３）で固定させる。
指穴（Ｇ）は  本体２の下にくるようにする。
これにより、腕にはめやすい形状（図１）となり、装着が容易になる。
【００１３】吸収性が良く、手にはめた時に肌触りが良くごわつかない素材を使用し、デザインの多様性により帯状の位置や幅、縫製部分、ホック、素材を自由に設定し適応させていく。
使用する年代、性別によって寸法も適応させていく。
【００１４】図２の形態に手を入れ、親指を出すことにより手袋やアームカバーの形態になり、買物時のビニール袋を持つ際に手を痛めるという事がなくなる。
指を出した状態が図４である。
指穴（Ｇ）は左利き、右利き両方に対応できる位置とする。
本体１にはホックｄ（３）本体２にはホックａ・ｂ・ｃ（３）を付ける事により本体２を本体１に固定出来る様にし、装着時  邪魔にならない様にする。
【００１５】図２の形態でペットボトルにかぶせる事ができ、水滴から他のものが濡れるのを防ぐことができる。ペットボトルにかぶせた状態が図５である。
【００１６】本体２のホックａ（３）をはずし、直接カバンに付ける事もでき、リング状に別のホルダーを付ける事により長さの調節もできる。
【産業上の利用可能性】
【００１３】
【符号の説明】
【００１４】１  ハンカチを本体１として
２  本体２
３  ホック
【図１】
0003178298.tif 000003
【図２】
0003178298.tif 000004
【図３】
0003178298.tif 000005
【図４】
0003178298.tif 000006
【図５】
0003178298.tif 000007
【手続補正書】
【提出日】平成24年4月4日(2012.4.4)
【手続補正１】
【補正対象書類名】実用新案登録請求の範囲
【補正対象項目名】全文
【補正方法】変更
【補正の内容】
【実用新案登録請求の範囲】
【請求項１】
筒状にしたハンカチの一ヶ所に親指を出せるよう穴を開け、Ｂ・Ｅ辺中心部に帯状の生地本体２の中心部を縫製し、本体２を上下から筒の内側を通しホックで固定させ、腕にはめられるようにした事を特徴とする手袋型ハンカチである。
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
ハンカチを筒状に縫製し、一箇所に親指の通る穴を開け、手袋としても使え、腕にも付けられることを特徴とするハンカチ。
【手続補正２】
【補正対象書類名】明細書
【補正対象項目名】００１２
【補正方法】変更
【補正の内容】
【００１２】図２で示されるように本体１に本体２を縫製する。
図３は本考案の説明図であり、長方形の生地のＢ辺・Ｅ辺を縫製または、ホックで固定し、筒状にする事により腕にはめられるような形態にする。
Ｂ・Ｅ辺縫製部中央部分、または縫製部横に指穴（Ｇ）を開け、Ｂ・Ｅ辺縫製部の上、または、縫製部に沿って本体２を置き、本体２の中心部一ヶ所を縫製し、上下から通しホックａ（３）で固定させる。
指穴（Ｇ）は  ハンカチ生地やデザインによりどちらか一ヶ所とする。
これにより、腕にはめやすい形状（図１）となり、装着が容易になる。
【手続補正３】
【補正対象書類名】明細書
【補正対象項目名】００１４
【補正方法】変更
【補正の内容】
【００１４】図２の形態に手を入れ、親指を出すことにより手袋やアームカバーの形態になり、買物時のビニール袋を持つ際に手を痛めるという事がなくなる。
指を出した状態が図４である。
指穴（Ｇ）は左利き、右利き両方に対応できる位置とする。
【手続補正４】
【補正対象書類名】図面
【補正対象項目名】図２
【補正方法】変更
【補正の内容】
【図２】
0003178298.tif 000008
【手続補正５】
【補正対象書類名】図面
【補正対象項目名】図３
【補正方法】変更
【補正の内容】
【図３】
0003178298.tif 000009
(57)【要約】      （修正有）【課題】防暑対策と換気対策を同時に実施できる畜舎を提供する。【解決手段】貯水タンク８から水循環用ポンプ２でくみ上げられた水を散布する水散布ノズル１が筒型空洞枠７に固定される。散布された水を受ける熱交換器用クールパッド４と、換気扇５と、ダクトビニール９〜１２を備える。【選択図】図１
0003178008.tif 000002
【実用新案登録請求の範囲】
【請求項１】
本考案は熱交換器クールパッドと筒型空洞枠と吸気扇と給水装置と水散布ノズルと水循環用ポンプと貯水タンクとダクトビニールとを組み合わせ、冷風を畜舎全体に送風し、防暑対策と換気対策を同時に実施する畜舎
【考案の詳細な説明】
【技術分野】
【０００１】
熱交換器クールパッドの原理は気化熱を利用した空気の冷却である。
熱交換器クールパッドで冷風を得て、吸気扇によって強制的に畜舎に送り込む方式であるが、吸気扇だけでは畜舎内を均等に温度を下げることが出来ないためダクトビニールを通して、冷却風を効率的に送り込み、畜舎内の温度を下げる方式である。
【０００２】
熱交換器クールパッドは水を循環方式としているので、水の補給は、水が気化して消失された量のみとどまるので、非常に効率的である。
【背景技術】
【０００３】
防暑対策の必要性は畜舎内の温度が適温帯より上昇すると食下量の減少が現れる。
(イ)採卵鶏では産卵率の低下、破卵、軟卵の増加、へい死鶏の増加が認められる。
(ロ)ブロイラーでは発育不良、熱死の増加、食鳥検査で廃棄量の増加
(ハ)養豚関係では繁殖成績の低下(不受胎の増加)、肉豚関係では増体重の低下により飼育日数の延長、飼料要求率の悪化を招く。
(ニ)乳牛関係では乳量の減少、不受胎の増加が認められる。
等の障害が現れる。
【０００４】
日本の夏季は亜熱帯並の気温に対応するため防暑対策及び換気対策が必要である。
熱交換器クールパッドを採用し冷風を得て吸気扇によって強制的に冷風を送り込、畜舎の温度を下げることは効果的であると判断している。
【考案の概要】
【考案が解決しようとする課題】
【０００５】
現状の防暑対策は畜舎内の換気扇の台数を増して、風量のみを増加させて畜舎内の空気を攪拌させることが主流である。
畜舎内の空気を流す方法として、従断換気方式、横断換気方式、トンネル換気方式と称しているも、いずれも換気扇の台数を増やして対応しているのに変わりはない。
大規模農場、資本力のある農場はウインドレス方式を採用し、多額の設備投資で対応しているも換気扇の台数は減少することなく、消費電力は多く、節電目標とCO2排出量削減にはほど遠いのが現状である。
【課題を解決するための手段】
【０００６】
熱交換器クールパッドを採用し、熱交換器クールパッドに水循環ポンプにて水をシャワーノズルで流し込むことにより、冷風を得て、吸気扇にてダクトビニールを通して畜舎全体に冷風を送り込むことにより、畜舎内の換気扇の台数を減じ、温度を下げられたことで、防暑対策及び換気対策は問題なく解決できた。
【０００７】
換気扇の台数の減少により、消費電力の削減で節電となり、CO2排出量も消費電力の減少により、削減につながる。
【考案の効果】
【０００８】
熱交換器クールパッドを採用し、水循環用ポンプよりシャワーノズルで水を流し込んで冷風を得て吸気扇で強制的にダクトビニールを通して畜舎内に送り込んだ時の温度の測定結果は、外気温36.5℃、吸気扇の直径60ｃｍ、風量１分間に150ｍ3〜160ｍ3の能力の場合
(例I)農場の場合
冷風入口より10ｍで31.2℃、20ｍで31.1℃、30ｍで31.7℃、60ｍで32℃、80ｍで32.5℃
(例II)外気温38℃(8月中旬)
冷風入口より10ｍで32℃、20ｍで32.8℃
であった。測定結果より、畜舎の構造いかんにかかわらず、冷風をダクトビニールで送り込む方式は測定結果より(例I)で外気温との差が4.7℃〜5.3℃、(例II)で5.4℃〜6.2℃と差があったことは防暑対策として十分効果があるものと判断している。
【図面の簡単な説明】
【０００９】
【図１】冷風を畜舎内に送り込む略図
【産業上の利用可能性】
【００１０】
防暑対策の重要性で、家畜は適温帯より気温が上昇すると食下量の減少が現れ、各畜産種別では、採卵鶏関係で産卵率の低下、破卵、軟卵の増加、ブロイラーで発育不良、熱死の増加、養豚関係で繁殖成績の低下、肉豚関係で増体重の低下、飼育日数の延長、要求率の悪化、乳牛関係で乳量の減少、不受胎の増加が認められるので、これらの対策が必要なのである。
【００１１】
熱交換器クールパッドを採用し、気化熱より冷風を得て吸気扇によりダクトビニールを通して畜舎全体に送り込めば、畜舎内温度が下がり、換気扇の台数を減らすことができて、防暑対策が同時に出来て、消費電力の削減にもつながり、CO2排出量の削減にもつながることは産業上、利用の効果は大きいと判断している。
【符号の説明】
【００１２】
１        水散布    ノズル
２        水循環用ポンプ
３        給水パイプ
４        熱交換器クーリパッド
５        吸気扇
６        ダクトビニール
７        枠
８        貯水タンク
９        親ダクトビニール
１０        子ダクトビニール
１１        子ダクトビニール
１２        子ダクトビニール
【図１】
0003178008.tif 000003
【手続補正書】
【提出日】平成24年6月27日(2012.6.27)
【手続補正１】
【補正対象書類名】実用新案登録請求の範囲
【補正対象項目名】全文
【補正方法】変更
【補正の内容】
【実用新案登録請求の範囲】
【請求項１】
貯水タンクと前記貯水タンクに給水する給水装置と前記貯水タンクから水をくみ上げる水循環用ポンプと前記水循環用ポンプでくみ上げられた水を散布する水散布ノズルと筒型空洞枠に固定されて、前記水散布ノズルから散布される水を受ける熱交換器用クールパッドと外気を吸引して前記熱交換器クールパッドを通して、ダクトビニールに導く換気扇とを備え、前記ダクトビニールを通して冷気を畜舎全体に送風する畜舎。